(57)【要約】      （修正有）【課題】鉢植え栽培において省力的で良好な底潅水で栽培を行うシステムを提供する。【解決手段】栽培容器１内培養土を２層とし、底部の培養土２は液相３０％程度、気相を４５％程度以上であり、上部の栽培培養土１０は液相２０％−２５％程度、気相６０％以上の団粒構造で乾燥気味にし、栽培容器１の底に固定するマイクロクロスＡを結束した開いたテルテル坊主状の給水紐４胴体を水が入っているタンク３に浸し底潅水によって底部培養土２、上部の栽培用培養土１０まで吸い上げ、根は水を求めて高液相の底部に伸び成長する、水枯れがなく、水持ちもよい省力的栽培を行うシステム。【選択図】図１
2018139573.tif 000002
【特許請求の範囲】
【請求項１】
培養土は底部５ＣＭは液相３０％程度で気相４５％以上とし、上部の栽培培養土は１５％−２０％程度の飽和液相であり，気相６０％以上の団粒構造で乾燥気味にして栽培する。栽培容器の培養土の下にあり、水が入っているタンクと栽培容器の底に固定するマイクロクロスを結束した開いたテルテル坊主状の給水紐胴体をタンクに浸し、吸水紐頭部は胴部に対し直交的に５ＣＭの平板、５ＭＭの傘状のマイクロクロスの生地として複数の花びら状に広げ保水増副片として結合敷設し、吸水紐胴部の下端はタンクに浸して底潅水によって底部培養土に吸い上げ上部の栽培用培養土まで吸い上げるが乾燥気味の根は水を求めて高液相の底部に伸び成長する。栽培容器の底がタンク水に触れないよう雨抜き穴を設け、栽培容器を持ち上げて水量を確認しタンクの注水穴から補給し、又、浅い容器では根が栽培容器底の水抜き穴からタンクに侵入しないように遮根透水シートを底に敷き、屋外では栽培容器に雨がタンクに溜まり、屋内では栽培容器への上潅水の水をタンクに貯めて底潅水で上部栽培培養土に吸い上げて水枯れのない省力的な栽培を行い、育成する植物に適した低い液相で水はけもよく、水持ちもよい省力的栽培を行うシステム。
【請求項２】
請求項１に記載の２層とする培養土であって、多品種に適するように底部５ＣＭ程度は赤玉土と腐葉土、軽石を混合し飽和液相を３０％程度、気相４５％以上とし、上部の栽培培養土は焼き赤玉土と腐葉土、軽石を混合し飽和液相１５％−２０％程度、気相６０％以上とする培養土。
【請求項３】
請求項１に記載の吸水紐であってマイクロクロスを円柱状に結束して外周を締め上げ胴体部とし、最上部を結束されていない頭部を縦に十文字に切断し花びら状に広げ、５ＣＭの円形、５ＭＭとする生地を保水増副片として結合敷設し胴長の頭の開いた頭部として栽培容器の底に固定し、胴体を固く結束して形成し下のタンクに垂らすが直径２ＣＭにおいては１５ＣＭ以下とし、直径１ＣＭでは１０ＣＭ以下としてタンクから培養土に水を供給する吸水紐。
【請求項４】
請求項１に記載の栽培容器であって、底の中央に吸水紐の胴体を吊り下げ固定する吸水紐穴を開け、別の個所に水抜き穴が開いていて、大きいお椀状に形成して、底の高台部をタンクのはめ込み穴に固定する栽培容器。
【請求項５】
請求項１に記載のタンクであって、不透明で、ポリプロピレンや陶器で形成する大型タンク形状であり上部に栽培容器の底を受け入れるはめ込み穴が開いていて雨や上潅水の水をタンクに落とし貯水し、栽培容器底が雨で浸らないように、はめ込み穴の下に設ける雨抜き穴から余分な雨を流し、容器を持ち上げることで水量を確認し追加水を補給し吸水紐の同じ長さのタンク深さとして底に溜まる水を吸い上げる大型タンク。
【請求項６】
請求項１に記載のデュポン社の０．６９ＭＭの遮根透水シートであって、吸水紐頭部の上を覆うように被せて栽培容器の底全体に敷き、雨や潅水する水は遮根透水シートを抜けてタンクに落とし、吸水紐頭部の水は容易に培養土に移動し、根は培養土内に遮断する遮根透水シート。
【発明の詳細な説明】
【背景分野】
【０００１】本発明は鉢植え栽培において、栽培容器の培養土を底部と栽培上部培養土の２層に分け培養土の持つ飽和液相によって省力的で良好な底潅水で栽培を行う。
【背景技術】
【０００２】底面潅水栽培はドイツのプレイモービル社のレチューザーと命名された底潅水商品が売り出されているが、これは観葉植物栽培専用でありでありクレイと命名された吸水性の低いゼロライトによって水を吸い上げて栽培するがクレイでは吸い上げる水は少なく、又、浅い容器では根が伸びて根腐れの危険がある。日本においてもアップルというメーカーの野菜専用とする底潅水容器が販売されているが栽培容器の底に溜める水の容量も少なく、根が伸びてタンクに達して根腐れを起こす対策もない。
【先行技術文献】
【特許文献】
【０００３】
【特許文献１】特願  ２０１３−２１１４１３
【特許文献２】特願  ２０１４−２１１６
【特許文献３】特願  レチューザー
【実願文献１】
実願２０１５−１２３６
【非特許文献１】
【０００４】
【非特許文献１】愛知県農業試験場  鉢花の底面吸水技術
【発明の概要】
【発明が解決しようとする課題】
【０００５】底潅水鉢植え栽培において培養土を２層に分け上部培養土は水はけのよい栽培培養土であり、底部培養土は底潅水によって大型タンクから常に水を吸い上げて水を保持し培養土に供給することで、上部培養土は水はけが良く水持ちもよい良好な省力的栽培ができるシステムを構築することが課題である。
【発明を解決するための手段】
【０００６】底潅水栽培を行うための底部培養土は小粒の赤玉土、腐葉土、５ｍｍ程度の軽石を混合して飽和液相を３０％とし上部の栽培培養土は焼き赤玉土と小粒軽石、腐葉土を混合して飽和液相を１５％−２０％程度として団粒構造で排水性のよい環境で栽培する。又、底部から大型タンクから底潅水で常に水を供給することで培養土は水不足にもならず、上部培養土内は酸素も確保され良好な栽培ができ栽培容器の下に大型タンクを置き雨や上潅水を溜めマイクロクロスの吸水紐の底潅水で吸い上げ、乾燥によって栽培培養土の液相が下がると根は液相の高い底部に伸び、下のタンクにも根毛が伸びるため、栽培容器の底に遮根透水シートを敷き、根を栽培容器内部の培養土内に遮断する省力的栽培システムである。
【発明の効果】
【０００７】この底潅水栽培システムによって、屋外に置いてタンクに降る雨をタンクに貯め、屋内では大型とするタンクに水を貯めて省力的栽培を行い。飽和液相３０％の下部培養土と１５％−２０％程度とする上部栽培培養土の２層とするが上部培養土は低液相で乾燥気味であるが底部から大型タンクに貯水する水を常に吸い上げて水を供給するので水枯れにはならず底は常に飽和液相であり根が伸びる良好な省力的栽培が可能となる。又水を求める根を栽培容器底部に遮根透水シートを敷くことで根がタンク水まで伸びることを防ぎ、培養土内に遮断して栽培ができる。
【発明を実施するための形態】
【０００８】本発明の実施形態について図面を参照して説明する。図１は本発明の実施例における正面透視図であり、栽培容器やタンクをポリプロピレンや陶器で不透明に形成し１栽培容器の底にＧ吸水紐穴を開け、３吸水紐を固定し１栽培容器底の底部を３タンクの８はめ込み穴に固定する。４吸水紐は品種や容器の大きさ、深さに合わせて直径１ＣＭ−２ＣＭの円柱形とし、長さはタンクの深さと同じとする。初期にたっぷりと潅水して栽培するが吸水紐頭部は開いた図２のように花が開いたテルテル坊主状に形成し、保持する水を増加するため布を上に置くが布は５ＣＭの円形で５ＭＭの平面として栽培容器底に固定し、胴体をタンク水に降ろす。更にＢ吸水紐頭部を覆うように底に敷く６遮根透水シートを敷き雨や上潅水の５水は透水シートからタンクに落ちて溜まるが、高液相の吸水紐頭部からは低液相の培養土に移動し、根は１栽培容器内部に遮断される。１栽培容器底の給水紐穴は底面積２０ｃｍ平方に１個程度であり底の大きさに比例して増やし、吸水紐は胴体を結束してテープを巻き付け、タンクはポリプロピレンの水入り物干し台のベース形状とし、１栽培容器を持ち上げて水分量を確認し、注水穴から補給もできるが、栽培容器の培養土は２層であり、２底部培養土は赤玉土、腐葉土、軽石を混合して飽和液相３０％程度にした培養土であり、上部栽培用は焼き赤玉土と腐葉土、軽石を混合して飽和液相２０％−２５％とする。上部の培養土は底部より液相が低いが吸水紐から水が吸いあがるので水枯れにはならず、上部栽培培養土は団粒構造で乾燥しやすい培養土のため、根は液相が高い底部に水を求めて伸びるので成長し伴って植物も成長する。肥料は液肥を使用するが、品種により容量は代わるので、どれだけ与えるかは今後の課題である。
【図面の簡単な説明】
【０００９】
【図１】図１は底潅水栽培システムの１例である。
【図２】図２は頭部が円形、平面形状であり、胴長の円柱状の吸水紐である。
【符合の説明】
【０００１０】１  栽培容器、２  底部培養土  ３  タンク  ４  給水紐  ５  水  ６遮根透水シート  ７  給水穴  ８  はめ込み穴  ９  高台部  １０  上部培養土  Ａ  マイクロクロス  Ｂ  給水紐頭部  Ｃ  給水紐胴体部  Ｄ  吸水紐穴  Ｅ  保水増副片  Ｆ  水抜き穴  Ｇ  雨抜き穴
【図１】
2018139573.tif 000003
【図２】
2018139573.tif 000004